(57)【要約】【課題】携帯電子機器が保持している個人識別情報や印刷装置の環境情報に加えて、インターネット上の広告情報を携帯電子機器の印刷結果に追加印刷し、課金額を減額するシステムにおいて、印刷補助情報を用いたユーザごとの適切な印刷手段を有する印刷装置を提供する。【解決手段】中央処理部２は印刷装置環境情報を保持し、ネットワークインターフェース部４および１対１インターフェース部５を通して、携帯電子機器の保持する情報、個人識別情報および印刷補助情報を取得し、所望情報を出力する際に、印刷補助情報に従って個人識別情報、印刷装置環境情報、広告情報を付加して印刷する。また、印刷補助情報はユーザの選択を可能とする。【選択図】　　　　図１
2004098357.tif 000002
【特許請求の範囲】
【請求項１】
携帯電子機器と印刷装置がローカル接続およびインターネット接続され、印刷装置がインターネットで接続されるネットワーク環境において使用される印刷装置において、
前記携帯電子機器と１対１で接続する手段と、
ネットワーク接続をし、前記携帯電子機器と情報伝達をする手段と、
前記携帯電子機器が保持する情報、印刷補助情報および前記情報に含まれるインターネット位置情報を読み取る手段と、
前記インターネット位置情報により、インターネットを通じてユーザの所望する該当情報をダウンロードし印刷する手段とを有し、
前記携帯電子機器に内蔵されている個人識別情報を、前記携帯電子機器が保持する情報およびインターネットを通じて広告情報をダウンロードした内容に付加して印刷する場合、前記携帯電子機器が保持する前記印刷補助情報を用いてユーザの好みに応じた印刷を行うことを特徴とする印刷装置。
【請求項２】
前記携帯電子機器に内蔵されている個人識別情報を、前記携帯電子機器が保持する情報およびインターネットを通じて広告情報をダウンロードした内容に付加して印刷する場合、前記携帯電子機器が保持する複数の前記印刷補助情報の中から適合するものを選択し、ユーザの好みに応じた印刷を行うことを特徴とする請求項１記載の印刷装置。
【請求項３】
前記携帯電子機器に内蔵されている個人識別情報を、前記携帯電子機器が保持する情報に付加し、インターネットを通じて広告情報をダウンロードした内容に付加して印刷する場合、前記携帯電子機器が保持する複数の前記印刷補助情報を操作手段へ表示し、ユーザが前記印刷補助情報を選択することによって、ユーザの好みに応じた印刷を行うことを特徴とする請求項１記載の印刷装置。
【請求項４】
前記携帯電子機器に内蔵されている個人識別情報を、前記携帯電子機器が保持する情報およびインターネットを通じて広告情報をダウンロードした内容に付加して印刷する場合、前記印刷装置に内蔵されている前記印刷装置の環境情報を付加した印刷を行うことを特徴とする請求項１から３のいずれか１項に記載の印刷装置。
【請求項５】
前記ネットワーク接続において、複数のパソコンおよびＯＡ機器と通信を行うことを特徴とする請求項１から３のいずれか１項に記載の印刷装置。
【発明の詳細な説明】
【０００１】
【発明の属する技術分野】
本発明は携帯電子機器とネットワーク接続およびローカル接続する印刷装置に関する。
【０００２】
【従来の技術】
現在、携帯電話に代表される携帯電子機器の利用が当たり前になりつつある。この携帯電子機器はこれまでのＰＣとは異なり、単一目的の用途に特化させる代わりに非常に使いやすくなっている。携帯電子機器の種類としては、携帯電話、ＰＤＡ（Ｐｅｒｓｏｎａｌ　Ｄｉｇｉｔａｌ　Ａｓｓｉｓｔａｎｃｅ　）などがあり、電話・スケジュール管理・住所録・電話帳などの情報を持っている。さらに、これら電子機器の最近の動きとしてインターネットへの対応がみられる。例えば、Ｅメールで世界中の人たちとメール通信をリアルタイムで、かつどこでも行うことができるようになっているし、Ｗｅｂブラウザでインターネットをダイレクトに検索したり、データを引き出したりすることができる。これを応用することによりインターネット上で提供されているオンラインショッピングやチケット手配、銀行振り込みまでもが携帯電子機器を使ってできるのである。
【０００３】
一方で、上述の携帯電子機器の弱点としては、印刷手段が提供されていないという点がある。これは単一目的に特化されたがゆえに、プリンタを使用するためのソフトウェア（プリンタドライバ）が携帯電子機器では動作しないからであり、また携帯性を重視したため、例えばコネクタが無いなどというプリンタと接続するハードウェア的要因があるからである。
【０００４】
また、本発明に類似する従来の技術として、携帯情報端末装置の使用者が、所望の情報をサービスセンターから検索し、使用者が指定した場所で検索データの出力を可能とする情報出力システムがある（例えば、特許文献１参照）。
【０００５】
【特許文献１】
特開平１０−２２２５２７号公報（１−５頁、図１）
【０００６】
【発明が解決しようとする課題】
上述のような状況の中で携帯電子機器には一般的に小さな操作パネルしかついていないため、参照している情報を大きな状態で見たいとか、どうしても記録した紙を手元に残しておきたいとかといった要求が特に強い。しかし、携帯電子機器は非常に安価なので、形態電子機器本体の数倍から数十倍も高価な専用プリンタを購入することは利用者にとっては考えられないことである。
【０００７】
また、特許文献１の従来技術例は、ユーザがＰＤＡ等の携帯情報端末を使用し所望のデータを所望の場所で出力するものであるが、出力された印刷物に個人情報を出力できないので所有者が特定できないという問題があった。また、ユーザは出力される印刷物の用紙サイズ、用紙種類および白黒／カラー印刷等の設定をすることができなかった。また、出力する印刷装置を設置する店舗にとっては、ユーザが出力する印刷物を利用して効果的な広告宣伝を行うといった手段はなかった。
【０００８】
そこで、コンビニエンスストアや一般オフィスに導入されているコピー機は、現在ほとんどデジタル化が完了し、ＭＦＰ（Ｍｕｌｔｉ　Ｆｕｎｃｔｉｏｎ　Ｐｅｒｉｐｈｅｒａｌ　）化しており、ＰＣやその他のデバイスから印刷機能を持つものがほとんどであり、さらにネットワーク接続されイントラネット上で共有されることが多いことから、このようなコンビニエンスストアや一般オフィスに設置されたＭＦＰと携帯電子機器を接続し、印刷手段を提供するシステムが要望されている。
【０００９】
また、上記システムは携帯電子機器が保持している個人識別情報や印刷装置の環境情報に加えて、携帯電子機器が持つＥ−ｍａｉｌや電話帳、インターネットコンテンツなどの情報の印刷を提供するというものであるが、ユーザごとに好みの印刷形態（用紙サイズなど）が異なるので、携帯電子機器に印刷補助情報（用紙サイズ・両面／片面・用紙種類・白黒／カラー）を保持し、その印刷補助情報に従いユーザの望む形態で印刷することが考案されている。
【００１０】
本発明は上記事情に鑑みてなされたものであり、携帯電子機器が保持している個人識別情報や印刷装置の環境情報に加えて、インターネット上の広告情報を携帯電子機器の印刷結果に追加印刷し、課金額を減額するシステムにおいて印刷補助情報を用いたユーザごとの適切な印刷手段を有する印刷装置を提供することを目的とする。
【００１１】
【課題を解決するための手段】
かかる目的を達成するために、請求項１記載の印刷装置は、携帯電子機器と１対１で接続する手段と、ネットワーク接続により携帯電子機器と情報伝達をする手段と、携帯電子機器が保持する情報、印刷補助情報および情報に含まれるインターネット位置情報を読み取る手段と、インターネット位置情報により該当情報をダウンロードし印刷する手段とを有し、携帯電子機器に内蔵されている個人識別情報を、同じく携帯電話が保持する情報に付加し、かつインターネットを通じて広告情報をダウンロードした内容に付加して印刷する場合、携帯電子機器が保持する印刷補助情報を用いてユーザの好みに応じた印刷をすることを特徴としている。
【００１２】
請求項２記載の印刷装置は、請求項１の印刷装置において、携帯電子機器に内蔵されている個人識別情報を、同じく携帯電話が保持する情報に付加し、かつインターネットを通じて広告情報をダウンロードした内容に付加して印刷する場合に、携帯電子機器が保持する複数の印刷補助情報の中から適合するものを選択し、ユーザの好みに応じた印刷をすることを特徴としている。
【００１３】
請求項３記載の印刷装置は、請求項１の印刷装置において、携帯電子機器に内蔵されている個人識別情報を、同じく携帯電話が保持する情報に付加し、かつインターネットを通じて広告情報をダウンロードした内容に付加して印刷する場合、携帯電子機器が保持する複数の印刷補助情報を操作手段へ表示し、ユーザが印刷補助情報を選択することで、ユーザの好みに応じた印刷をすることを特徴としている。
【００１４】
請求項４記載の印刷装置は、請求項１から３のいずれか１項に記載の印刷装置において、携帯電子機器に内蔵されている個人識別情報を、前記携帯電子機器が保持する情報およびインターネットを通じて広告情報をダウンロードした内容に付加して印刷する場合、前記印刷装置に内蔵されている前記印刷装置の環境情報を付加した印刷を行うことを特徴としている。
【００１５】
請求項５記載の印刷装置は、請求項１から３のいずれか１項に記載の印刷装置において、複数のパソコンおよび複数のＯＡ機器とネットワーク接続し、通信を行うことを特徴としている。
【００１６】
【発明の実施の形態】
以下、本発明の実施の形態について、添付図面を参照しながら詳細に説明する。
【００１７】
まず、図１を用いて、本発明の印刷装置の各構成要素について説明する。印刷部１は、中央処理部２から印刷処理要求と印刷イメージを受け印刷することができ、また中央処理部２へ現在の印刷枚数を通知することができる。
【００１８】
中央処理部２は、本発明の主要部分であり、印刷部１へ印刷処理要求を発行できる。また、操作部３を通して利用者の要求を受け、かつ状態や警告を利用者に通知することができる。また、ネットワークインターフェース部４を通してネットワークに接続された他機器と通信することができる。また、１対１インターフェース部５を通して携帯電話等の携帯電子機器と１対１で通信することができ、各アルゴリズムを用いて課題を解決し、実現できる。また、本発明の印刷装置の環境情報（設置場所、住所、店の名前、日時）を保持している。
【００１９】
操作部３は中央処理部２に接続され、ユーザへの表示機能や印刷ボタン等の入力機能を持つ。ネットワークインターフェース部４は、ネットワークに接続するための機構を持ち、他のＯＡ機器や携帯電話等の機器と情報伝達が可能であり、固有のネットワーク識別子を持つ。また、中央処理部２からの要求をネットワークに送出し、ネットワークからの情報を中央処理部２へ伝達する。１対１インターフェース部５は、携帯電話機等の携帯電子機器と１対１で接続するためのインターフェースであり、中央処理部２の要求を変換し、携帯電話等に伝え、かつ携帯電話からの応答を中央処理部２へ伝えることができる。
【００２０】
次に、図２の実施例を参照にしながら、本発明の印刷装置が動作するＯＡ機器間の構成を説明する。図２ではパソコンは複数台あり、ＯＡ装置も複数あるとする。図２（ａ）の印刷装置は、携帯電話等装置と１対１の接続をし、複数台のパソコンとインターネット上でネットワーク接続されている場合である。図２（ｂ）の印刷装置は、複数台のパソコンとインターネット上でネットワーク接続されており、さらにインターネットのネットワークで携帯電話等装置と接続されている場合である。いずれの場合においても、本発明の印刷装置は有効に動作する。
【００２１】
次に、図３を参照にして、印刷装置が保持する情報（印刷装置環境情報）について説明する。印刷装置環境情報には、例えば印刷装置が設置されている場所、店の名前、住所、日時、および広告ＵＲＬが含まれており、これらの情報は印刷装置の中央処理部２に保持されている。
【００２２】
次に、図４を参照にして、携帯電話等装置が保持する情報について説明する。例えば、ユーザの携帯電話等は、複数のＵＲＬ、電話帳、Ｅ−ｍａｉｌのほかに、個人識別情報として自携帯自局番号、自メールアドレス、携帯電話の所有者名を含んでいる。また、原稿サイズ、両面／片面印刷、カラー／白黒印刷、およびＵＲＬ等の印刷補助情報がある。この印刷補助情報は１つの場合と複数ある場合とが考えられる。なお、以下に説明する実施の形態において、印刷補助情報は第１の実施の形態では１つであり、第２および第３の実施の形態では複数あることを想定している。
【００２３】
次に、課金額が含まれる広告ＵＲＬは図５に示す。図５（ａ）のＵＲＬのＫＯＵＫＯＫＵタグ内のｋａｋｉｎ属性が課金用情報であり、この場合、ユーザへの課金額を１０円減額する。そして、ユーザ情報をｒｉｒｅｋｉ＠ｔｅｓｔ．ｒｉｃｏｈ．ｃｏ．ｊｐ　にＥ−ｍａｉｌする情報が付加されている。また、図５（ｂ）のＵＲＬのＫＯＵＫＯＫＵタグ内のｋａｋｉｎ属性が課金用情報であり、この場合もユーザへの課金額を１０円減額する。そして、ユーザ情報をｈｔｔｐ：／／ｔｅｓｔ．ｒｉｃｏｈ．ｃｏ．ｊｐにＨＴＴＰプロトコルで転送する情報が付加されている。以上のような方法によって、広告主へ利用者情報を転送する。
【００２４】
次に、第１の実施の形態における印刷装置の中央処理部２は、図６のアルゴリズムを用いて動作する。以下、図６を参照にして第１の実施の形態について説明する。
【００２５】
まず、携帯電話等の電子機器（ここでは、携帯電話を想定する）と印刷装置のネットワークインターフェース部４および１対１インターフェース部５の接続を確認する（Ｓ１０１）。接続がない場合は（Ｓ１０１／ＮＯ）、接続があるまで待機する。接続があった場合は（Ｓ１０１／ＹＥＳ）、操作部３にＵＲＬ、電話帳、Ｅ−ｍａｉｌのいずれか１つを選択するようにユーザに促す表示をする（Ｓ１０２）。
【００２６】
ユーザは表示されたＵＲＬ、電話帳、Ｅ−ｍａｉｌの中より１つを選択する。この時、ユーザへの課金額の初期化も行われる（Ｓ１０３）。そして、ユーザの選択に従いＥ−ｍａｉｌ情報、または電話帳情報、またはＵＲＬ情報をネットワークインターフェース部４および１対１インターフェース部５を経由して、携帯電話から取得する（Ｓ１０４、Ｓ１０５、Ｓ１０６）。ＵＲＬ情報の場合は、情報取得後にＵＲＬ先情報をダウンロードする（Ｓ１０７）。
【００２７】
Ｅ−ｍａｉｌ情報、または電話帳情報、またはＵＲＬ先情報を取得後、ユーザが設定した印刷補助情報をネットワークインターフェース部４および１対１インターフェース部５を経由して、携帯電話から取得する（Ｓ１０８）。印刷補助情報は、用紙サイズ、両面／片面、用紙種類、白黒／カラー、ＵＲＬである。
【００２８】
次に、個人識別情報をネットワークインターフェース部４および１対１インターフェース部５を経由して、携帯電話から取得する（Ｓ１０９）。個人識別情報は、自局番号、所有者メールアドレス、所有者名の３点である。
【００２９】
そして、前述において選択されたＥ−ｍａｉｌ情報、電話帳情報、ＵＲＬ先情報を印刷画像情報（Ｘ）に変換する（Ｓ１１０）。また、同様にして個人識別情報も印刷画像情報（Ｙ）に変換する。そして、ヘッダやフッタの位置に個人識別情報を配置する（Ｓ１１１）。また、ＵＲＬ先情報をダウンロードし、印刷画像情報（Ｚ）に変換する（Ｓ１１２）。この時、広告内のｋａｋｉｎ　属性によって課金額が決まる。
【００３０】
上記それぞれの印刷画像情報（Ｘ）、（Ｙ）、（Ｚ）は、印刷部１へオーバーラップして転送され、携帯電話から取得した印刷補助情報の指定により印刷される（Ｓ１１３）。そして、課金額をユーザに請求する（Ｓ１１４）。また、広告ＵＲＬ先情報に含まれるｆｅｅｄｂａｃｋ情報を取得し、個人識別情報を選択された手段により転送する（Ｓ１１５）。
【００３１】
以上のように第１の実施の形態によれば、個人識別情報が印刷され、また印刷補助情報に従って印刷されるので、印刷結果が自分のものか容易に判断ができ、店舗で複数のユーザが同じものを印刷した時でも自分のものを区別できる。また、印刷装置設置店舗の効果的な広告ができるとともに、広告主に利用頻度と利用者情報が通知されるので、よりよい広告を作るための好循環が期待できる。また、ユーザには広告内容に応じた課金の減額が行われ、利用者情報をより安全な手段を選択することにより転送することができる。
【００３２】
次に、第２の実施の形態における印刷装置の中央処理部２は、図７のアルゴリズムを用いて動作する。以下、図７を参照にして第２の実施の形態について説明する。
【００３３】
第１の実施の形態と同様に、まず携帯電話等の電子機器（ここでは、携帯電話を想定する）と印刷装置のネットワークインターフェース部４および１対１インターフェース部５の接続を確認する（Ｓ２０１）。接続がない場合は（Ｓ２０１／ＮＯ）、接続があるまで待機する。接続があった場合は（Ｓ２０１／ＹＥＳ）、操作部３にＵＲＬ、電話帳、Ｅ−ｍａｉｌのいずれか１つを選択するようにユーザに促す表示をする（Ｓ２０２）。
【００３４】
ユーザは表示されたＵＲＬ、電話帳、Ｅ−ｍａｉｌの中より１つを選択する。この時、ユーザへの課金額の初期化も行われる（Ｓ２０３）。そして、ユーザの選択に従いＥ−ｍａｉｌ情報、または電話帳情報、またはＵＲＬ情報をネットワークインターフェース部４および１対１インターフェース部５を経由して、携帯電話から取得する（Ｓ２０４、Ｓ２０５、Ｓ２０６）。ＵＲＬ情報の場合は、情報取得後にＵＲＬ先情報をダウンロードする（Ｓ２０７）。
【００３５】
Ｅ−ｍａｉｌ情報、または電話帳情報、またはＵＲＬ先情報を取得後、ユーザが設定した複数の印刷補助情報をネットワークインターフェース部４および１対１インターフェース部５を経由して、携帯電話から取得する（Ｓ２０８）。印刷補助情報は、用紙サイズ、両面／片面、用紙種類、白黒／カラー、ＵＲＬである。
【００３６】
そして、中央処理部２に保持されている印刷装置環境情報を取得する（Ｓ２０９）。印刷装置環境情報は、設置場所、住所、店の名前、日時の４点である。
【００３７】
次に、選択されたＥ−ｍａｉｌ情報、電話帳情報、ＵＲＬ先情報を印刷画像情報（Ｘ）に変換する（Ｓ２１０）。そして、該当ＵＲＬと印刷補助情報の中のＵＲＬが同一のものを選択する（Ｓ２１１）。次に、印刷装置環境情報も印刷画像情報（Ｙ）に変換し、ヘッダやフッタの位置に配置する（Ｓ２１２）。また、ＵＲＬ先情報をダウンロードし、印刷画像情報（Ｚ）に変換する（Ｓ２１３）。この時、広告内のｋａｋｉｎ　属性によって課金額が決まる。
【００３８】
上記それぞれの印刷画像情報（Ｘ）、（Ｙ）、（Ｚ）は、印刷部１へオーバーラップして転送され、携帯電話から取得した印刷補助情報の指定により印刷される（Ｓ２１４）。そして、課金額をユーザに請求する（Ｓ２１５）。また、広告ＵＲＬ先情報に含まれるｆｅｅｄｂａｃｋ情報を取得し、個人識別情報を選択された手段により転送する（Ｓ２１６）。
【００３９】
以上のように第２の実施の形態によれば、印刷装置環境情報が印刷されるので、印刷結果がいつどこで印刷されたものか容易に判断できる。また、印刷装置設置店舗の効果的な広告ができるとともに、広告主に利用頻度と利用者情報が通知されるので、よりよい広告を作るための好循環が期待できる。また、ユーザには広告内容に応じた課金の減額が行われ、利用者情報をより安全な手段を選択することにより転送することができる。
【００４０】
次に、第３の実施の形態における印刷装置の中央処理部２は、図８のアルゴリズムを用いて動作する。以下、図８を参照にして第３の実施の形態について説明する。
【００４１】
上述の第１および第２の実施の形態と同様に、携帯電話等の電子機器（ここでは、携帯電話を想定する）と印刷装置のネットワークインターフェース部４および１対１インターフェース部５の接続を確認する（Ｓ３０１）。接続がない場合は（Ｓ３０１／ＮＯ）、接続があるまで待機する。接続があった場合は（Ｓ３０１／ＹＥＳ）、操作部３にＵＲＬ、電話帳、Ｅ−ｍａｉｌのいずれか１つを選択するようにユーザに促す表示をする（Ｓ３０２）。
【００４２】
ユーザは表示されたＵＲＬ、電話帳、Ｅ−ｍａｉｌの中より１つを選択する。この時、ユーザへの課金額の初期化も行われる（Ｓ３０３）。そして、ユーザの選択に従いＥ−ｍａｉｌ情報、または電話帳情報、またはＵＲＬ情報をネットワークインターフェース部４および１対１インターフェース部５を経由して、携帯電話から取得する（Ｓ３０４、Ｓ３０５、Ｓ３０６）。ＵＲＬ情報の場合は、情報取得後にＵＲＬ先情報をダウンロードする（Ｓ３０７）。
【００４３】
Ｅ−ｍａｉｌ情報、または電話帳情報、またはＵＲＬ先情報を取得後、ユーザが設定した複数の印刷補助情報をネットワークインターフェース部４および１対１インターフェース部５を経由して、携帯電話から取得する（Ｓ３０８）。印刷補助情報は、用紙サイズ、両面／片面、用紙種類、白黒／カラー、ＵＲＬである。ここで、ユーザは操作部３に表示された複数の印刷補助情報の中から１つを選択する（Ｓ３０９）。
【００４４】
次に、個人識別情報をネットワークインターフェース部４および１対１インターフェース部５を経由して、携帯電話から取得する（Ｓ３１０）。個人識別情報は、自局番号、所有者メールアドレス、所有者名の３点である。
【００４５】
そして、中央処理部２に保持されている印刷装置環境情報を取得する（Ｓ３１１）。印刷装置環境情報は、設置場所、住所、店の名前、日時の４点である。
【００４６】
そして、選択されたＥ−ｍａｉｌ情報、電話帳情報、ＵＲＬ先情報を印刷画像情報（Ｘ）に変換する（Ｓ３１２）。また、同様にして個人識別情報と印刷装置環境情報も印刷画像情報（Ｙ）に変換する。そして、ヘッダやフッタの位置に個人識別情報と印刷装置環境情報を配置する（Ｓ３１３）。また、ＵＲＬ先情報をダウンロードし、印刷画像情報（Ｚ）に変換する（Ｓ３１４）。この時、広告内のｋａｋｉｎ　属性によって課金額が決まる。
【００４７】
上記それぞれの印刷画像情報（Ｘ）、（Ｙ）、（Ｚ）は、印刷部１へオーバーラップして転送され、携帯電話から取得した印刷補助情報の指定により印刷される（Ｓ３１５）。そして、課金額をユーザに請求する（Ｓ３１６）。また、広告ＵＲＬ先情報に含まれるｆｅｅｄｂａｃｋ情報を取得し、個人識別情報と印刷装置環境情報を選択された手段により転送する（Ｓ３１６）。
【００４８】
以上のように第３の実施の形態によれば、ユーザ自身が印刷補助情報を選択することにより個人識別情報と印刷装置環境情報が印刷されるので、印刷結果の形態で自分のものか容易に判断ができ、店舗で複数のユーザが同じものを印刷した時でも自分のものを区別できる。また、印刷結果がいつどこで印刷されたものかも容易に判断できる。また、印刷装置設置店舗の効果的な広告ができるとともに、広告主には、印刷装置の利用頻度と利用者情報が通知されるので、よりよい広告を作るための好循環が期待できる。また、ユーザには広告内容に応じた課金の減額が行われ、より安全な手段を選択して利用者情報を転送することができる。
【００４９】
【発明の効果】
請求項１記載の携帯電話印刷装置によれば、携帯電子機器に内蔵されている自局番号、所有者メールアドレス、所有者名等の個人識別情報を、同じく携帯電話が持つ電子メール、アドレス帳、インターネットコンテンツ等の情報に付加し、かつインターネットを通じて広告情報をダウンロードした内容に付加して印刷する場合、携帯電子機器が持つ印刷補助情報によって、ユーザの好みの用紙サイズ、用紙種類、両面／片面、白黒／カラーに応じた印刷をすることを特徴としているので、印刷結果が自分のものか容易に判断ができ、店舗で複数のユーザが取り合いになった時でも自分のものを区別できる。また、印刷装置設置店舗の効果的な広告ができるとともに、広告主に利用頻度と利用者情報が通知されるので、よりよい広告を作るための好循環が期待できる。また、ユーザには広告内容に応じた課金の減額が行われ、利用者情報をより安全な手段を選択することにより転送することができる。
【００５０】
請求項２記載の発明によれば、請求項１記載の携帯電話印刷装置において、携帯電子機器が持つ複数の印刷補助情報の中から適合するものを選択し、ユーザの好みの用紙サイズ、用紙種類、両面／片面、白黒／カラー印刷に応じた印刷をすることを特徴としているので、印刷結果が自分のものか容易に判断ができ、店舗で複数のユーザが取り合いになった時でも自分のものを区別できる。また、印刷装置設置店舗の効果的な広告ができるとともに、広告主に利用頻度と利用者情報が通知されるので、よりよい広告を作るための好循環が期待できる。また、ユーザには広告内容に応じた課金の減額が行われ、利用者情報をより安全な手段を選択することにより転送することができる。
【００５１】
請求項３記載の発明によれば、請求項１の携帯電話印刷装置において、携帯電子機器が持つ複数の印刷補助情報を操作手段へ表示し、ユーザが選択することで、ユーザの好みの用紙サイズ、用紙種類、両面／片面、白黒／カラー印刷に応じた印刷をすることを特徴としているので、印刷結果が自分のものか容易に判断ができ、店舗で複数のユーザが取り合いになった時でも自分のものを区別できる。また、印刷装置環境情報が印刷されるので、印刷結果がいつどこで印刷されたものか容易に判断できる。また、印刷装置設置店舗の効果的な広告ができるとともに、広告主に利用頻度と利用者情報が通知されるので、よりよい広告を作るための好循環が期待できる。また、ユーザには広告内容に応じた課金の減額が行われ、利用者情報をより安全な手段を選択することにより転送することができる。
【００５２】
請求項４記載の印刷装置によれば、請求項１から３のいずれか１項に記載の印刷装置において、携帯電子機器に内蔵されている個人識別情報を、前記携帯電子機器が保持する情報およびインターネットを通じて広告情報をダウンロードした内容に付加して印刷する場合、前記印刷装置に内蔵されている前記印刷装置の環境情報を付加した印刷を行うことを特徴としているので、印刷結果がいつどこで印刷されたものか容易に判断できる。また、印刷結果が自分のものか容易に判断ができ、店舗で複数のユーザが取り合いになった時でも自分のものを区別できる。また、印刷装置設置店舗の効果的な広告ができるとともに、広告主に利用頻度と利用者情報が通知されるので、よりよい広告を作るための好循環が期待できる。また、ユーザには広告内容に応じた課金の減額が行われ、利用者情報をより安全な手段を選択することにより転送することができる。
【００５３】
請求項５記載の印刷装置によれば、請求項１から３のいずれか１項に記載の印刷装置において、複数のパソコンおよびＯＡ機器とネットワーク接続し、情報通信を行うことを特徴としているので、ユーザはより多くの情報を印刷して得ることができる。
【図面の簡単な説明】
【図１】本発明の携帯電話印刷装置のハードウェア構成を示すブロック図である。
【図２】本発明が動作する印刷装置の構成例を示す説明図である。
【図３】本発明の印刷装置が保持している情報を示す説明図である。
【図４】携帯電話に保持されている情報を示す説明図である。
【図５】広告データに課金額が追加されている状態例を示す説明図である。
【図６】第１の実施例における印刷装置の動作のアルゴリズムを示すフローチャートである。
【図７】第２の実施例における印刷装置の動作のアルゴリズムを示すフローチャートである。
【図８】第３の実施例における印刷装置の動作のアルゴリズムを示すフローチャートである。
【符号の説明】
１　印刷部
２　中央処理部
３　操作部
４　ネットワークインターフェース部
５　１対１インターフェース部
【図１】
2004098357.tif 000003
【図２】
2004098357.tif 000004
【図３】
2004098357.tif 000005
【図４】
2004098357.tif 000006
【図５】
2004098357.tif 000007
【図６】
2004098357.tif 000008
【図７】
2004098357.tif 000009
【図８】
2004098357.tif 000010